(57)【要約】【課題】　ユーザの好みや意思を反映して、デジタル画像データの編集が容易に行えるようにする。【解決手段】　デジタル画像データが記録されている異なる種類の記録媒体２０の使用量および未使用量を読み取り、異なる種類の記録媒体間の使用量および未使用量を同じ記憶量に対して同じスケールとなるように表示し、各記録媒体２０の使用量および未使用量を視覚で比較可能に表示装置３０に表示して、記録媒体２０間のデジタル画像データ２００を編集する。【選択図】　　　　　図１
2004147308.tif 000002
【特許請求の範囲】
【請求項１】
　デジタル画像データが記録されている異なる種類の記録媒体の使用量および未使用量を読み取る記録量読取手段と、
　前記異なる種類の記録媒体間の使用量および未使用量を同じ記憶量に対して同じスケールとなるように表示し、各記録媒体の使用量および未使用量を視覚で比較可能に表示装置に表示する記録量表示手段と、
　該記録量表示手段により使用量および未使用量が表示された前記記録媒体間のデジタル画像データを編集する第１の画像データ編集手段と
を備えたことを特徴とする記録媒体編集装置。
【請求項２】
　前記記憶量に対するスケールが、棒グラフで表示されるものであることを特徴とする請求項１記載の記録媒体編集装置。
【請求項３】
　前記第１の画像データ編集手段が、前記表示装置上に表示されている記録媒体の記憶容量を示す棒グラフのうち、いずれか１つの棒グラフの使用量を示す部分を他の棒グラフに移動させることにより、１つの記録媒体のデジタル画像データを他の記録媒体に移動するものであることを特徴とする請求項２記載の記録媒体編集装置。
【請求項４】
　前記第１の画像データ編集手段が、前記１つの記録媒体のデジタル画像データを前記他の記録媒体に移動する際、移動元のデジタル画像データを移動先の記録媒体に転記後、前記移動元のデジタル画像データと前記移動先のデジタル画像データとを比較して正常に転記されたことを確認して、移動元のデジタル画像データを削除するものであることを特徴とする請求項３記載の記録媒体編集装置。
【請求項５】
　前記異なる種類の記録媒体に記録されている各デジタル画像データの記録領域を読み取る記録領域読取手段と、
　該記録領域読取手段により読み取られた前記記録領域に基づき、前記記録媒体に記録されている各デジタル画像データの並び順と画像の記録画素数に対応した画像ファイルサイズを視覚で認識できるように表示装置に表示する記録領域表示手段と、
　該記録領域表示手段により前記記録領域の並び順と前記画像ファイルサイズが表示された前記デジタル画像データを編集する第２の画像データ編集手段と
をさらに備えたことを特徴とする請求項１から４いずれか１項記載の記録媒体編集装置。
【請求項６】
　前記第２の画像データ編集手段が、前記表示装置上に表示されているデジタル画像データから前記画像ファイルサイズを変更したいデジタル画像データを指定して、該デジタル画像データのサイズ変更処理をするものであることを特徴とする請求項５記載の記録媒体編集装置。
【請求項７】
　記録媒体に記録されている各デジタル画像データの記録領域を読み取る記録領域読取手段と、
　該記録領域読取手段により読み取られた前記記録領域に基づき、前記記録媒体に記録されている各デジタル画像データの並び順と画像の記録画素数に対応した画像ファイルサイズが視覚で認識できるように表示する記録領域表示手段と、
　該記録領域表示手段により前記記録領域の並び順と前記画像ファイルサイズが表示された前記デジタル画像データを編集する画像データ編集手段と
を備えたことを特徴とする記録媒体編集装置。
【請求項８】
　前記画像データ編集手段が、前記表示装置上に表示されているデジタル画像データから前記画像ファイルサイズを変更したいデジタル画像データを指定して、該デジタル画像データのサイズ変更処理をするものであることを特徴とする請求項７記載の記録媒体編集装置。
【発明の詳細な説明】
【技術分野】
【０００１】
　本発明は、デジタルカメラにより撮影され異なる種類の記録媒体に記録された画像データを編集する装置に関するものである。
【背景技術】
【０００２】
　近年、デジタルスチールカメラ（以下、デジタルカメラとする）で撮影した画像を記録するために、スマートメディア等の大容量の記録媒体が普及しつつある。しかし、大容量の記録媒体の使いこなすスタイルが未だ確立しておらず、十分に使いこなされているとは言い難い状況にある。
【０００３】
　また、記録媒体に記録されているデジタル画像データは、フィルムに記録された画像のように記録媒体からプリント対象画像を目視することができないため、記録媒体を受け取っただけでは、プリント対象データが入っているかどうかの判定ができない。そこで、記録媒体に記録されているデジタル画像データが受付可能データであるかどうかの判定を自動的に行い、さらに、プリント対象画像の画素数が少ない場合にはプリントの品質を維持して印刷可能なサイズを認識できるようにして、プリント対象データの受付処理を確実にしかも容易に行えるようにしたものがある（例えば、特許文献１参照）。
【特許文献１】特開平１１−１２５８６７号公報
【発明の開示】
【発明が解決しようとする課題】
【０００４】
　このようなデジタルカメラで使用する記録媒体とフィルムとは異なる特徴がある。
【０００５】
（１）１つの記録媒体で撮影できる枚数は、画素数・画質モード（圧縮）によって変わる。  
（２）記録媒体はフィルムに比べて高価である。  
（３）記録媒体にはいくつか種類があり統一されていない。  
（４）画像データにはファイル名が付けられパソコンと親和性が高い。また、電子アルバムとして整理することが可能である。  
（５）画像データ用のフォーマットは複数存在する。  
（６）画像データは削除することができ、簡単に消えてしまう。一方、画像データを削除して記録媒体を使いまわすことができる。  
（７）プリントに必要な画素数・画質モードはプリントサイズに左右される。
【０００６】
　上記項目の中でも、画素数・画質モード（圧縮）、画像データ用のフォーマットの違い、記録媒体の違い、プリントサイズとそれに必要な画素数・画質モード等は、画像データの編集を行うときには十分考慮しなければならないがユーザの認知度が低い。
【０００７】
　また、撮影した画像を高品質な状態でプリントするためには、高画質モードで撮影する方がよいが、必要以上の画質で記録しても記録媒体の容量を圧迫するだけで画質は変わらない。プリントサイズと画素数・画質モードとは密接に関連し、例えば、大伸ばし、２Ｌサイズ、Ｌサイズでは最適な画素数が違う。一方、この画質やプリントサイズなどはユーザの好みや意思を反映する必要がある。
【０００８】
　そこで、本発明はこの課題に鑑みて、デジタル画像データの編集を容易に行うことができ、ユーザの好みや意思を反映し、画像データを最適化した画素数で記録することができる仕組みを提供することを目的とするものである。
【課題を解決するための手段】
【０００９】
　本発明の記録媒体編集装置は、デジタル画像データが記録されている異なる種類の記録媒体の使用量および未使用量を読み取る記録量読取手段と、
　前記異なる種類の記録媒体間の使用量および未使用量を同じ記憶量に対して同じスケールとなるように表示し、各記録媒体の使用量および未使用量を視覚で比較可能に表示装置に表示する記録量表示手段と、
　該記録量表示手段により使用量および未使用量が表示された前記記録媒体間のデジタル画像データを編集する第１の画像データ編集手段と
を備えたことを特徴とするものである。
【００１０】
　ここで、「異なる種類の記録媒体」は、スマートメディア（登録商標）・メモリカード・コンパクトフラッシュ（登録商標）・メモリスティック等のメモリ型記録媒体、フロッピー（登録商標）ディスク・Ｚｉｐディスク（登録商標）の磁気型記録媒体、ＭＯ等の光磁気型記録媒体、ＤＶＤ・ＣＤ−Ｒ・ＣＤ−ＲＷ等の光型記録媒体などの記録方式が異なるものや、記憶容量が異なるものである。
【００１１】
　また、「記録量読取手段」は、ＳＳＦＤＣ、ＰＣＭＣＩＡ、ＵＳＢ、ＳＣＳＩ、パラレル、ＡＴＡＰＩ等の各インターフェースに対応することが好ましい。
【００１２】
　また、「デジタル画像データ」とは、デジタルカメラ等で撮影した静止画像や動画等で、記録形式には、Ｅｘｉｆ、ＪＰＥＧ、ＣＡＭ、シフ、Ｍｏｔｉｏｎ　ＪＰＥＧ、ＭＰＥＧ等の様々な形式のものがある。
【００１３】
　「記憶量に対して同じスケールとなるように表示」とは、記憶容量が相違する記録媒体であっても、記録媒体に記録された記録量が同じ場合には、表示されるスケールが同じとなるように表示することである。例えば、記憶容量が１２８Ｍの記録媒体であっても、６４Ｍの記録媒体であっても、同じ１０Ｍの記録量に対しては同じスケールで表示する。
【００１４】
　さらに、「使用量および未使用量を視覚で比較可能に表示装置に表示」とは、ＣＲＴ画面や液晶表示装置等の表示装置に表示された使用量と未使用量との比較から、目視で一つの記録媒体に記録された画像データを他の記録媒体に移動することができるか否かや、現在、どの程度使用済みで残りがどのくらいあるか等の判断ができるように表示することである。
【００１５】
　なお、使用量や未使用量を視覚で比較可能にするために、前記記憶量に対するスケールが、棒グラフで表示されることが望ましい。
【００１６】
　さらに、前記第１の画像データ編集手段が、前記表示装置上に表示されている記録媒体の記憶容量を示す棒グラフのうち、いずれか１つの棒グラフの使用量を示す部分を他の棒グラフに移動させることにより、１つの記録媒体のデジタル画像データを他の記録媒体に移動するものであってもよい。
【００１７】
　「棒グラフの使用量を示す部分を他の棒グラフに移動させる」とは、ＧＵＩ（Graphical User Interface）を用いて、棒グラフで表示されている使用量の部分を他の棒グラフの未使用の部分に移動させるものである。例えば、マウス等のポインティングデバイスを使って移動させるようにする。
【００１８】
　また、前記第１の画像データ編集手段が、前記１つの記録媒体のデジタル画像データを前記他の記録媒体に移動する際、移動元のデジタル画像データを移動先の記録媒体に転記後、前記移動元のデジタル画像データと前記移動先のデジタル画像データとを比較して正常に転記されたことを確認して、移動元のデジタル画像データを削除するものであってもよい。
【００１９】
　「前記移動元のデジタル画像データと前記移動先のデジタル画像データとを比較」とは、ソフトウェアプログラム等で移動元と移動先のデジタル画像データの情報が同じであるか否かを比較することである。
【００２０】
　また、記録媒体には、各デジタル画像データは様々な画像サイズのものが記録されるが、必要に応じてデジタル画像データの画像サイズを確認して編集したい場合がある。
【００２１】
　そこで、前記異なる種類の記録媒体に記録されている各デジタル画像データの記録領域を読み取る記録領域読取手段と、
　該記録領域読取手段により読み取られた前記記録領域に基づき、前記記録媒体に記録されている各デジタル画像データの並び順と画像の記録画素数に対応した画像ファイルサイズを視覚で認識できるように表示装置に表示する記録領域表示手段と、
　該記録領域表示手段により前記記録領域の並び順と前記画像ファイルサイズが表示された前記デジタル画像データを編集する第２の画像データ編集手段と
をさらに備えるようにしてもよい。
【００２２】
　「画像」には、静止画と動画を含み、「画像の記録画素数に対応した画像ファイルサイズ」とは、デジタルスチールカメラで撮影する際に指定した条件（高品質であるか否か等、カメラで設定する項目のうち、静止画の記録画素数と圧縮率で定まるもの）に応じて、所定の画素数（８０万画素、１５０万画素）でデジタル画像データとして記録されるが、この画素数に対応するものや、ビデオカメラ等で撮影された動画の画像データの画素数に対応するものである。
【００２３】
　また、前記第２の画像データ編集手段が、前記表示装置上に表示されているデジタル画像データから前記画像ファイルサイズを変更したいデジタル画像データを指定して、該デジタル画像データのサイズ変更処理をするものであってもよい。
【００２４】
　「サイズ変更処理」とは、高品質で撮影したものを通常の品質が維持できる程度に画素数を少なくするような処理で、デジタル画像データの画像自体は変わらないように画素数を変えるものである。
【００２５】
　本発明の他の記録媒体編集装置は、記録媒体に記録されている各デジタル画像データの記録領域を読み取る記録領域読取手段と、
　該記録領域読取手段により読み取られた前記記録領域に基づき、前記記録媒体に記録されている各デジタル画像データの並び順と画像の記録画素数に対応した画像ファイルサイズが視覚で認識できるように表示する記録領域表示手段と、
　該記録領域表示手段により前記記録領域の並び順と前記画像ファイルサイズが表示された前記デジタル画像データを編集する画像データ編集手段と
を備えたことを特徴とするものである。
【００２６】
　さらに、前記画像データ編集手段が、前記表示装置上に表示されているデジタル画像データから前記画像ファイルサイズを変更したいデジタル画像データを指定して、該デジタル画像データのサイズ変更処理をするものであってもよい。
【発明の効果】
【００２７】
　本発明の記録媒体編集装置は、異なる種類の記録媒体の使用量および未使用量を読み取って、表示装置上に同じ記憶量に対してスケールで表示し、視覚で使用量および未使用量を比較できるように表示することにより、異なる種類の記録媒体間のデジタル画像データの編集が、表示されている使用量および未使用量で確認しながら行うことができる。
【００２８】
　また、記憶量に対するスケールを棒グラフで表示するようにすれば、記憶量の違いが視覚ではっきり認識できる。
【００２９】
　また、表示装置上で、棒グラフの使用量を示す部分を他の棒グラフに移動させて、１つの記録媒体のデジタル画像データを他の記録媒体に移動するようにすれば、移動元の記録媒体に記録されているデジタル画像データを移動先の記録媒体に移動することができるかなどの判断が、表示している棒グラフから視覚的に判断できるのでデジタル画像データの移動を確実に行うことができる。
【００３０】
　また、記録媒体のデジタル画像データを前記他の記録媒体に移動する際、移動元のデジタル画像データを移動先の記録媒体に転記後、前記移動元のデジタル画像データと前記移動先のデジタル画像データとを比較して正常に転記されたことを確認して、移動元のデジタル画像データを削除するようにした場合、デジタル画像データの移動する際に失敗することがない。
【００３１】
　さらに、各デジタル画像データの記録領域を読み取り、表示装置上に記録媒体に記録されている各デジタル画像データの並び順と画像（静止画や動画）の記録画素数に対応した画像ファイルサイズを視覚で認識できるように表示するようにすれば、撮影状況と記録内容の関係がよく分かる。さらに、不用意な記録領域の使用を避けることができる。
【００３２】
　さらにまた、表示装置上に表示されているデジタル画像データから画像ファイルサイズを変更したいデジタル画像データを指定してサイズ変更処理をするようにすれば、ユーザの意思を確認してリサイズ処理をすることができる。
【発明を実施するための最良の形態】
【００３３】
　以下、本発明の記録媒体編集装置について、図面を参照して詳細に説明する。図１は、本発明の記録媒体編集装置の概要を示す図である。図１に示すように、この記録媒体編集装置１には、デジタル画像データ２００を記録する異なる種類の記録媒体２０に対応したユニット２１が複数接続され、記録媒体２０のデジタル画像データ２００の読取／書込をするためのインターフェース２と、記録媒体２０に記録されているデジタル画像データ２００の記録領域等を表示装置３０に表示する表示部３と、デジタル画像データ２００の編集をする画像データ編集部４から概略構成される。
【００３４】
　さらに、デジタル画像データ２００の編集をおこなうための、入力装置５１や、デジタル画像データ２００の記録フォーマットを変換するフォーマット変換部５２を備えている。入力装置５１は、キーボード、マウス等のポインティングデバイス、タッチパネルなどである。
【００３５】
　記録媒体２０には、スマートメディア、メモリカード、コンパクトフラッシュ（登録商標）、メモリスティック、フロッピー（登録商標）ディスク、Ｚｉｐディスク、ＭＯ、ＤＶＤ、ＣＤ−Ｒ、ＣＤ−ＲＷ等、異なる記録方式の記録媒体や異なる記憶容量の記録媒体を利用することができる。さらに、デジタルカメラに内蔵されているメモリでもよい。
【００３６】
　ユニット２１は、異なる種類の記録媒体２０に対応した読取／書込装置で、インターフェース２には各ユニット２１を制御するためのデバイスドライバ等が用意され、ＰＣＭＣＩＡ、ＳＳＦＤＣ、ＵＳＢ、ＳＣＳＩ、パラレル、ＡＴＡＰＩ等の規格に対応するものが複数種類用意されることが望ましい。
【００３７】
　また、記録媒体編集装置１には、このインターフェース２を介して、各ユニット２１に挿入されている記録媒体２０からデータを読取る読取部２２と、記録媒体２０にデータを書込む書込部２３とを備える。読取部２２には、さらに、各記録媒体２０が使用されている使用量や、空領域である未使用量を読み取る記録量読取部２２１を備えている。
【００３８】
　デジタル画像データ２００は、Ｅｘｉｆ、ＪＰＥＧ、ＣＡＭ、シフ等の異なるフォーマットで記録媒体２０に記録されており、フォーマット変換部５２は、読み取ったデジタル画像データ２００を必要に応じて各フォーマットに変換するものである。
【００３９】
　表示部３では、記録量読取部２２１で読み取った使用量および未使用量を、使用量および未使用量を視覚で比較できるように表示装置３０に表示する記録量表示部３１を備える。また、図２に示すように、使用量や未使用量は棒グラフで表示したものが好ましい。
【００４０】
　そこで、図２に基づいて、棒グラフを用いて使用量や未使用量を表示する方法について説明する。図２では、斜線部が使用量を示している。
【００４１】
　まず、各ユニット２１に挿入された記録媒体２０の記録領域を読み取って使用量と未使用量を表示する。各ユニット２１に挿入された記録媒体２０毎に使用量や未使用量がわかるように表示するが、全ての記録媒体２０のスケールが同じになるように表示する。
【００４２】
　具体的には、ユニット１からユニット５に挿入された記録媒体２０のうち記憶容量が最大容量のものでスケーリングする。例えば、ユニット１に挿入されている記録媒体２０の容量が最も大きく１２８ＭＢとし、ユニット２の記録媒体の記録媒体２０の容量が２４ＭＢとする。このとき、ユニット１の記憶容量をＭＡＸ１で表し、ユニット２の記憶容量をＭＡＸ２で表わすと、
　　ＭＡＸ２＝２４／１２８≒２０％
となり、ＭＡＸ２はＭＡＸ１の２０％のところになる。
【００４３】
　上述の方法で表示をすると、記録媒体２０間でデジタル画像データ２００を移動することができるか否かを判断することができる。そこで、図２の場合、ユニット５のデジタル画像データ２００をユニット１へ移動することはできるが、ユニット５のデジタル画像データ２００をユニット３に移動することはできないことが視覚的に判断することができる。
【００４４】
　画像データ編集部４は、記録量表示部３１で表示装置３０上に表示されている使用量や未使用量に基づいて、記録媒体２０間のデジタル画像データ２００を編集する第１画像データ編集部４１を備える。
【００４５】
　第１画像データ編集部４１は、表示装置３０に表示している各記録媒体２０の記録領域を示す棒グラフの中から、使用量を示す部分をマウス等で選択して他の記録媒体２０に移動させると、移動元の記録媒体２０に記録されているデジタル画像データ２００を移動先の記録媒体２０に移動することができる。
【００４６】
　また、デジタル画像データ２００を他の記録媒体２０に移動する際には、まず、移動元のデジタル画像データ２００を移動先の記録媒体２０に転記（コピー）し、移動元のデジタル画像データ２００と移動先のデジタル画像データ２００をソフトウェア等で比較（Ｖｅｒｉｆｙ等）して正常に転記されたことを確認して、移動元の記録媒体２０からデジタル画像データ２００を削除する方が好ましい。
【００４７】
　次に、図３のフローチャートを用いて、デジタル画像データ２００を編集するときの動作について具体的に説明する。
【００４８】
　まず、記録媒体編集装置１は、立ち上げ時にオートセットアップで、加工・編集の一覧が表示される。そこで、一覧の中から記録媒体の編集を行うメニューを選択する（Ｓ１００）。すると、読取部２２の記録量読取部２２１で、各ユニット２１に挿入されている記録媒体２０の使用量および未使用量が読み取られ（Ｓ１０１）、記録量表示部３１で表示装置３０上に棒グラフで表示される（Ｓ１０２）。
【００４９】
　そこで、表示装置３０に表示されている棒グラフの中から、いずれかの棒グラフの使用量の部分をマウス等で指して、使用量の部分をドラッグして他の棒グラフに移動させると（Ｓ１０３）、移動元の記録媒体２０に記録されているデジタル画像データ２００を読取部２２で読み取る（Ｓ１０４）。デジタル画像データ２００は様々なフォーマットで記録されているので、読取部２２で読み取ったデジタル画像データ２００のフォーマットが移動先の記録媒体２０のフォーマットと同じであるか否かを確認して（Ｓ１０５）、異なる場合には、フォーマット変換部５２で読み取ったデジタル画像データ２００を移動先のフォーマットに変換して（Ｓ１０６）書込部２３で移動先の記録媒体２０に記録する（Ｓ１０７）。移動元と移動先の記録媒体２０のフォーマットが同じ場合には、フォーマットを変換しないで書込部２３で移動先の記録媒体２０に記録する（Ｓ１０７）。
【００５０】
　そこで、移動元のデジタル画像データ２００と移動先のデジタル画像データ２００とを比較して正常に記録されたことを確認して（Ｓ１０８）、移動元のデジタル画像データ２００を削除する（Ｓ１０９）。
【００５１】
　また、デジタル画像データ２００を他の記録媒体に移動するときに、移動元と移動先の記録媒体２０のデジタル画像データ２００のファイル名が重複しないかどうかを確認して、重複がある場合には、リネイムしてファイル名が重ならないようにする。あるいは、送信先にデジタル画像データ２００を移動するときにデジタル画像データ２００のファイル名に番号を順番に振って重ならないように管理するようにしてもよい。
【００５２】
　次に、本発明の他の記録媒体編集装置１０について、図４を用いて説明する。前述の記録媒体編集装置１と同じ構成については、同一符号を振って詳細な説明は省略し、相違するところについてのみ説明する。
【００５３】
　読取部２２には、記録媒体２０に記録されている各デジタル画像データ２００が記録されている記録領域を読み取る記録領域読取部２２２を備える。
【００５４】
　また、表示部３は、記録領域読取部２２２で読み取った各デジタル画像データ２００の記録領域から、各デジタル画像データ２００が記録媒体２０に記録されている並び順と静止画や動画の記録画素数に対応した画像ファイルサイズが目視できるように表示装置３０に表示する記録領域表示部３２を備える。
【００５５】
　デジタル画像データ２００は、デジタルカメラで撮影する際に高品質であるか否か等の指定に応じて、撮影した画像は記録媒体２０には所定の画素数（８０万画素、１５０万画素等）でデジタル画像データ２００として記録されるが、記録領域表示部３２は、図５に示すように、この画素数に対応する画像ファイルサイズが目視でわかるように表示する。また、デジタル画像データ２００の並び順と画像ファイルサイズとの対応がつくように表示する。図５の例では、１駒目から２４駒目までは画質モードを「NORMAL」で撮影を行ったもので、２５駒目から高画質モードで撮影された画素数と画質に変更され、画質モードを「FINE」で撮影を行ったものである。また、３３駒目と３４駒目の間には動画（ムービー）が記録されている。
【００５６】
　また、画像データ編集部４には、記録領域表示部３２で表示装置３０上に表示された記録媒体２０のデジタル画像データ２００の並び順と画像ファイルサイズを参照して、サイズ変更等の編集をする第２画像データ編集部４２を備える。
【００５７】
　第２の画像データ編集部４２は、表示装置３０上に表示されているデジタル画像データ２００から画像ファイルサイズを変更したいデジタル画像データ２００を選択してデジタル画像データ２００のサイズ変更処理をする。
【００５８】
　次に、デジタル画像データ２００のサイズを変更するときの動作について、図６を用いて具体的に説明する。
【００５９】
　まず、記録媒体編集装置１０は、立ち上げ時にオートセットアップで、加工・編集の一覧が表示される。そこで、一覧の中から画像のリサイズを行うメニューを選択する（Ｓ１２０）。すると、読取部２２の記録領域読取部２２２で、ユニット２１の挿入されている記録媒体２０に記録されている各デジタル画像データ２００の記録領域が読み取られ（Ｓ１２１）、記録領域表示部３２で表示装置３０上に各デジタル画像データ２００の記録領域を表示する（Ｓ１２２）。
【００６０】
　ところで、デジタルスチールカメラで撮影を行う場合、通常は圧縮モードを「NORMAL」の指定で撮影を行うが、例えば、風景画像のような大伸ばしをしたい画像を撮影するときには、大伸ばしをしてプリントした時に画像が粗くならないように高画質を想定して圧縮モードを「FINE」に変更して撮影を行う。高画質での撮影が終わった後通常の撮影に戻る際に、設定を「NORMAL」に戻し忘れると、風景を撮影した後の画像は高画質で撮影が行われるため、多くのメモリを使用することになる。
【００６１】
　そこで、画素数の大きいデジタル画像データ２００がある場合には、画面メッセージを表示する。例えば、２５駒目以降が標準サイズを越えて撮影されている場合には、「２５駒目以降が標準サイズを越えて撮影されています。」と表示してユーザに標準サイズを超えたデジタル画像データ２００があることが認識できるようにメッセージを表示する。さらに、「２５駒目以降を、Ｌサイズを最大としてリサイズ処理をすると記録領域が１０％増えます。」等の、リサイズを促すメッセージを表示する（Ｓ１２３）。
【００６２】
　そこで、全データ一括リサイズをするか、２５駒以降について、１駒ずつリサイズをするかユーザに確認して（Ｓ１２４）、全データ一括リサイズの場合には、標準サイズを超えているデジタル画像データ２００を一斉にリサイズ処理する（Ｓ１２５）。１駒ずつリサイズをする場合には、１駒ずつ表示してリサイズするかを問い合わせ（Ｓ１２６）、選択されたｎ駒目をリサイズする（Ｓ１２７）。さらに、次の駒を選択する（Ｓ１２８）。全ての駒に対してリサイズするか否かを確認する（Ｓ１２９）。
【００６３】
　これにより、ユーザの意思を汲み上げながら、記録媒体の記録領域を有効に利用することができる。
【００６４】
　次に、本発明のさらに他の記録媒体編集装置１１について、図７を用いて説明する。前述の記録媒体編集装置１、１０と同じ構成については、同一符号を振って詳細な説明は省略し、相違するところについてのみ説明する。
【００６５】
　読取部２２には、記録量読取部２２１と記録領域読取部２２２をともに備える。また、表示部３は、記録量表示部３１と記録領域表示部３２をともに備える。さらに、画像データ編集部４には、第１画像データ編集部４１と第２画像データ編集部４２をともに備える。
【００６６】
　これにより、各ユニット２１に挿入された記録媒体２０を必要に応じて第２画像データ編集部４２でリサイズすることができる。図８に、リサイズ処理をした一例を表し、ユニット１、ユニット３、ユニット５の一点斜線部がリサイズ効果のあった部分を表わしている。リサイズ処理をした記録媒体２０を、さらに、第１画像データ編集部４１で編集してデジタル画像データ２００を他の媒体に移動することができる。
【００６７】
　さらに、図９に示すように、以上説明した記録媒体編集装置１、１０、１１がプリント注文処理を行うサーバーコンピュータ６に接続されてもよい。
【００６８】
　サーバーコンピュータ６には、ＤＶＤやＣＤ−Ｒ等の保管用の記録媒体に記録するユニット２１ａと、写真画像の印刷やインデックスプリントを行うＴＡプリンター等の印刷装置７が接続されることが望ましい。
【００６９】
　これにより、記録媒体編集装置１、１１に備える記録量表示部３１では、図１０に示すように、記録媒体編集装置１、１１に接続されているユニット２１とサーバーコンピュータ６に接続されているユニット２１ａの使用量および未使用量を表示するようにし、第１画像データ編集部４１で、記録媒体編集装置１、１０、１１に接続されているユニット２１の記録媒体２０からサーバーコンピュータ６に接続されているユニット２１ａの記録媒体２０にデジタル画像データ２００を移動するようにすることもできる。これにより、スマートメディア、メモリカード、コンパクトフラッシュ（登録商標）、メモリスティック、フロッピー（登録商標）ディスク等の記録媒体２０に一時保管されるデジタル画像データ２００を、大容量の記録媒体に移動して電子アルバムとして保管することができる。このとき、大容量の記録媒体に特定のカテゴリー（例えば、「家族旅行」、「記念日」、「Ｂｕｓｉｎｅｓｓ」等）を定義し、それに応じてユニット２１に挿入される記録媒体も管理されることが好ましい。
【００７０】
　あるいは、必要に応じて印刷装置７で、デジタル画像データ２００で随時印刷することもできる。
【００７１】
　さらに、サーバーコンピュータ６はインターネット等のネットワーク８を介してラボ店に接続されてもよい。これにより、写真画像データの閲覧、検索、ダウンロード、プリント注文、ＤＶＤ等の記録媒体への出力、指定先への転送などのフォトサービスの提供を合わせておこなうことも可能になる。
【図面の簡単な説明】
【００７２】
【図１】本発明の記録媒体編集装置の概要を示す図
【図２】記録媒体の使用量と未使用量を表示した図
【図３】記録媒体編集装置の動作を説明するためのフローチャート
【図４】本発明の他の記録媒体編集装置の概要を示す図
【図５】記録媒体の各デジタル画像データの記録領域を表示した図
【図６】他の記録媒体編集装置の動作を説明するためのフローチャート
【図７】本発明のさらに他の記録媒体編集装置の概要を示す図
【図８】リサイズ処理の効果を説明する図
【図９】記録媒体編集装置をサーバーコンピュータに接続した図
【図１０】サーバーコンピュータに接続されている記録媒体へのデジタル画像データの移動を説明する図
【符号の説明】
【００７３】
　　　１、10、11　記録媒体編集装置
　　　２　　インターフェース
　　　３　　表示部
　　　４　　画像データ編集部
　　　６　　サーバーコンピュータ
　　　７　　印刷装置
　　　８　　ネットワーク
　　　21、21a　ユニット
　　　22　　読取部
　　　23　　書込部
　　　30　　表示装置
　　　31　　記録量表示部
　　　32　　記録領域表示部
　　　41　　第１画像データ編集部
　　　42　　第２画像データ編集部
　　　51　　入力装置
　　　52　　フォーマット変換部
　　　200　　デジタル画像データ
　　　221　　記録量読取部
　　　222　　記録領域読取部
【図１】
2004147308.tif 000003
【図２】
2004147308.tif 000004
【図３】
2004147308.tif 000005
【図４】
2004147308.tif 000006
【図５】
2004147308.tif 000007
【図６】
2004147308.tif 000008
【図７】
2004147308.tif 000009
【図８】
2004147308.tif 000010
【図９】
2004147308.tif 000011
【図１０】
2004147308.tif 000012